(57)【要約】【課題】雨水受け板と雨水案内板からなる排水経路を折板屋根の上面に設けた排水構造において、屋根の上面を滑り落ちる多量の雨や雪塊が衝突しても雨水受け板を破損させることなく、雨水を効率的に排水可能に構成する。【解決手段】折板屋根１の上面に、断面略Ｌ字形の雨水受け板３を載せて取り付け、雨水受け板３の一側の端部を集水器１１に接続し、雨水受け板３の取り付け位置よりも棟側には折板材からなる雨水案内板４を折板屋根１に重ねて取り付ける。この雨水案内板４を、折板屋根１に接続した端部４ａと屋根上面１ａとの間に隙間Ｓを設けて取り付け、降雨量が多いときには隙間Ｓからの溢水が雨水案内板４上に乗り上げ、雨水受け板３上面を伝って集水器１１へと排水されるよう構成する。【選択図】図２
2015196987.tif 000002
【特許請求の範囲】
【請求項１】
折板半屋根の上面に、断面略Ｌ字形の雨水受け板を載せて取り付け、この雨水受け板の少なくとも一側の端部を折板屋根の側端部に設けた集水部材に接続するとともに、雨水受け板の取り付け位置よりも棟側に、一側を折板屋根上面に接続し、他側を雨水受け板上に臨ませた折板材からなる雨水案内板を折板屋根に重ねて取り付け、折板屋根の上面を伝い落ちる雨水が雨水案内板から雨水受け板を伝って前記集水部材へと排水されるようにした構成を有する折板屋根の排水構造において、
前記雨水案内板を、前記折板屋根上面に接続した一側の端部と折板屋根上面との間に隙間を設けて取り付け、
降雨量が少ないときは雨水が前記隙間を通って雨水案内板の下側の折板屋根上面を伝って流れ落ち、降雨量が多いときには前記隙間からの溢水が雨水案内板上に乗り上げ、雨水受け板上面を伝って前記集水部材へと排水されるようにした構成を有する特徴とする折板屋根の排水構造。
【請求項２】
雨水案内板の上面に雪止め部材を設けた構成を有することを特徴とする請求項１に記載の折板屋根の排水構造。
【請求項３】
雨水受け板の上方にカバー板を設けた構成を有することを特徴とする請求項１又は２に記載の折板屋根の排水構造。
【発明の詳細な説明】
【技術分野】
【０００１】
本発明は、工場や倉庫などの屋根材として折板材を用いた建物の屋根の排水構造に係り、集中豪雨などの大雨に対応した排水経路を屋根の上面に備えた構造のものに関する。
【背景技術】
【０００２】
折板屋根の建物において、集中豪雨やゲリラ豪雨などの局地的大雨により、既設の軒樋や谷樋の排水能力を上回る大雨が建物の屋根に降り注いだ場合に、雨水が軒樋や谷樋から大量に溢れ出て建物内部への溢流を誘発し、建物内部に設置された構造物や機器などに漏水や浸水による損害を発生させることがある。
【０００３】
このような大雨にともなう軒樋や谷樋からの溢流の発生を防止するため、比較的大面積の屋根の上面に、屋根を伝い落ちる雨水の一部を屋根の側端部に設けた集水器に導く排水経路を設置した構造のものが知られている（例えば特許文献１，２参照）。
【０００４】
図６は従来の屋根の排水構造の一例を示し、これは、金属屋根１００の上面の屋根勾配方向の上下中間位置に、排水経路を構成する断面略Ｌ字形の雨水受け板１０１を屋根勾配方向とは直交する方向に沿うように向け、且つ雨水受け板１０１の端部を屋根側端部に設けた集水器（図示せず）に接続して取り付け、この雨水受け板１０１の取り付け位置よりも棟側に、一側が金属屋根１００の上面に一体に結合されていて他側が雨水受け板１０１上に臨ませた雨水案内板１０２を取り付けて、雨水案内板１０２よりも棟側の金属屋根１００の上面に降り注いだ雨水を、雨水案内板１０２から雨水受け板１０１を伝って屋根側端部の集水器へと導いて排水し、雨水受け板１０１よりも軒側の金属屋根１００の上面に降り注いだ雨水は軒樋や谷樋１０３で受けて流し落とすように構成したものである。
【先行技術文献】
【特許文献】
【０００５】
【特許文献１】実開平４−１１８３４号公報
【特許文献２】特開２０１０−２０９６２７号公報
【発明の概要】
【発明が解決しようとする課題】
【０００６】
図示した従来の排水構造は、金属屋根１００上面の棟側の半面を伝い落ちる雨水は雨水案内板１０２から雨水受け板１０１を伝って集水器へと流れ落ちるため、金属屋根１００の勾配方向下端部に設置される軒樋や谷樋１０３への雨水の流入量は少なくなって、大雨にともなう軒樋や谷樋１０３からの溢流の発生を、ある程度防止することが可能である。
【０００７】
しかし、従来の排水構造にあっては、局地的豪雨により猛烈な雨が降ったときは、極めて多量の雨が金属屋根１００の上面を一気に流れ落ちて雨水受け板１０１にぶつかり、その多量の雨がぶつかる衝撃によって雨水受け板１０１が変形するなどの破損を来たすことがある。
また、冬期に、金属屋根１００上の積雪が滑り落ち、雨水受け板１０１にぶつかった際の衝撃によっても雨水受け板１０１が破損することがある。金属屋根１００上に降り積もった雪の圧力を受けて雨水受け板１０１が潰れることもある。
さらに、雨水受け板１０１のＬ字形に屈曲した部分や、雨水受け板１０１上の雨水案内板１０２の端部が突出した部分に、金属屋根１００の上面に落ちたり吹き上げられたりした落ち葉やゴミが堆積し易く、雨水案内板１０２の端部の下方に入り込んだ落ち葉やゴミを除去し難いという問題もある。
【０００８】
本発明は従来の技術の有するこのような問題点に鑑み、雨水受け板と雨水案内板からなる排水経路を折板屋根の上面に設けた排水構造において、屋根の上面を滑り落ちる多量の雨や雪塊が衝突したり積雪により下向きの大きな荷重がかかったりしても雨水受け板を破損させることなく、折板屋根の上面全体に降り注いだ雨水を効率的に排水することができるように構成することを課題とする。
【課題を解決するための手段】
【０００９】
前記課題を解決するため本発明は、折板屋根の上面に、断面略Ｌ字形の雨水受け板を載せて取り付け、この雨水受け板の少なくとも一側の端部を折板屋根の側端部に設けた集水部材に接続するとともに、雨水受け板の取り付け位置よりも棟側に、一側を折板屋根上面に接続し、他側を雨水受け板上に臨ませた折板材からなる雨水案内板を折板屋根に重ねて取り付け、折板屋根の上面を伝い落ちる雨水が雨水案内板から雨水受け板を伝って前記集水部材へと排水されるようにした構成を有する折板屋根の排水構造において、
前記雨水案内板を、前記折板屋根上面に接続した一側の端部と折板屋根上面との間に隙間を設けて取り付け、
降雨量が少ないときは雨水が前記隙間を通って雨水案内板の下側の折板屋根上面を伝って流れ落ち、降雨量が多いときには前記隙間からの溢水が雨水案内板上に乗り上げ、雨水受け板上面を伝って前記集水部材へと排水されるようにした構成を有する特徴とする。
【００１０】
これによれば、折板屋根の上面と雨水案内板の端部との間に適宜な幅の隙間を設けてあるので、通常の降雨量のときは折板屋根上面を伝う雨水は隙間を通って軒側に設置された軒樋や谷樋に流れ落ちる。
一方、集中豪雨などの雨量が極めて多いときには、前記隙間を通る分量の雨水は前記と同様に隙間を通って軒側に設置された軒樋や谷樋へと流れ落ち、隙間から溢れた雨水は、雨水案内板上に乗り上げて雨水案内板から雨水受け板の上面へと流入し、雨水受け板の略Ｌ字形に屈曲した部分に当って当該雨水受け板の下流側である端部側へ伝い流れ、屋根側端部に設けた集水器などの集水部材へと流れ落ちて排水される。
【００１１】
つまり、極めて大きな降雨量のときには、折板屋根の棟側からその上面を伝い落ちる雨水が雨水案内板の端部部分で上下に分流され、その折板屋根上面との間の隙間を通る分量は通常のように軒樋や谷樋へと流れ落ち、隙間から溢れて雨水案内板に乗り上げた分量は雨水受け板を介して屋根側端部の集水部材へと流れ落ちる。
このように、大雨のときでも軒樋や谷樋に流れ落ちる雨水は最大でも隙間を通る分量に規定されるため、大雨のときの軒樋や谷樋への雨水の流入量が排水能力の範囲内に収められ、雨水が軒樋や谷樋から大量に溢れ出て建物内部への溢流を誘発する事態の発生を防止することができる。
また、局地的豪雨のときには極めて大量の雨水が折板屋根上面を一気に流れ落ちるが、上記の如く雨水案内板の端部で上下に分流される分、分流されない場合と比べて雨水案内板に乗り上げて雨水受け板にぶつかる雨量は少なくなって、雨水がぶつかることにより雨水受け板に加わる衝撃が相対的に緩和され、雨水受け板を破損し難くすることができる。
【００１２】
前記構成の排水構造において、折板屋根の上面に積もった雪塊が滑り落ちたときに雨水受け板にぶつかって、雨水受け板が破損することを防止するため、雨水案内板の上面には雪止め部材を設けておくことが好ましい。
雪止め部材は、適宜な形態のもの、例えば雨水案内板を形成する折板材の山部と山部の間に鋼材を架け渡したり突出させたりした形態のものを用いることができる。折板屋根の上面を滑り落ちる雪塊の勢いを削ぎ、また、雨水受け板にぶつからないように堰き止めるため、雪止め部材は雨水案内板の、雨水受け板に近い端部側に設置することが好ましい。また、雪止め部材を設けておくことで、雨水とともに雨水案内板の上面を流れ落ちるゴミを雪止め部材で捕捉し堰き止めて、雨水受け板に入り込むことを防止することができる。
【００１３】
前記構成の排水構造において、雨水受け板の上方からその内部に落ち葉やゴミが入り込むことを防止するため、また、冬期に折板屋根上面に雪が降り積もり、雨水受け板で堰き止められて厚くなった雪塊の荷重を受けて雨水受け板が破損することを防止するため、雨水受け板の上方にカバー板を設けて、カバー板で雨水受け板の上部を塞ぐように設けることが好ましい。
カバー板は、略Ｌ字形に屈曲した雨水受け板の軒側の端部から棟側の端部を覆い、且つ棟側の端部の上方に設置される雨水案内板の端部に連ねて設置することが好ましい。雨水受け板の上方を塞ぐカバー板が雨水案内板の端部に連ねて設置してあれば、折板屋根の上部に厚く積もった雪塊が滑り落ちた際に、雪塊は雨水案内板の上面からカバー板を乗り越えて雨水受け板の上方を通過し、雪塊の衝突による雨水受け板の破損を防止することができる。積雪による下向きの押圧力を受けてカバー板が潰れることを防ぐため、雨水受け板のカバー板が装着される部分は補強板などを取り付けて補強がなされていることが好ましい。
また、カバー板は、雨水受け板に着脱自在に設置し、メンテナンスの際には雨水受け板から取り外して、内部に入り込んだゴミや落ち葉を取り除くことができるように構成してあることが好ましい。
【００１４】
前記構成の排水構造において、雨水案内板の端部と折板屋根上面との間の隙間は、雨水案内板をその端部と折板屋根上面との間にスペーサ部材を挟んで固定したり、雨水案内板の端部を切り欠いたりして設けることができる。隙間は、通常の降雨量のときに雨水がスムーズに隙間を通過可能な幅、例えば雨水案内板の端部と折板屋根上面との間が３ｍｍ〜５ｍｍ程度開く幅に形成することが好ましい。
また、雨水受け板と雨水案内板は、折板屋根の上面の一側の側端部から他側の側端部に亘って架設し、或いは折板屋根の上面の任意の場所から一側の側端部に亘って設置することができる。折板屋根の上面の面積が大きい場合に、例えば折板屋根上面の棟側と軒側にそれぞれ雨水受け板と雨水案内板を設置する如く、複数の雨水受け板と雨水案内を並設してもよい。
雨水受け板は、折板屋根の側端部に設置される集水部材に向けて雨水が流れ落ちるように水勾配を付けて設置される。集水部材は、竪樋が接続した集水器や集水枡、適宜な形態の樋などを用いることができる。
【図面の簡単な説明】
【００１５】
【図１】本発明の一実施形態の排水構造を適用した折板屋根の要部外観図である。
【図２】図１の排水構造の部材構成を示した図である。
【図３】折板屋根の上面と雨水案内板の端部の接続部分を拡大した断面図である。
【図４】図１の排水構造における屋根側端部の要部外観図である。
【図５】図１の排水構造におけるカバー板と雨水案内板の取り付け部分を拡大した外観図である。
【図６】従来の屋根の排水構造の要部を拡大した構成図である。
【発明を実施するための形態】
【００１６】
本発明の好適な実施形態を、図面を参照して説明する。
図１は、本発明の一実施形態の排水構造を適用した折板屋根の要部外観図であり、図中、符号１は折板屋根、２は折板屋根１の軒側に設置された谷樋、３は雨水受け板、４は雨水案内板、５はカバー板である。
【００１７】
折板屋根１は、屋根の両側端部に亘り折板材を棟側から軒側へ適宜な角度で傾斜させて取り付けるとともに、屋根上面１ａに降り注いで折板材の上面を伝い落ちる雨水を軒側に設置した谷樋２に流し落とし、さらに谷樋２の内部を伝って一側の屋根側端部１ｂに設置された、竪樋７が接続した集水器６へと流入させるように構成してある（図４参照）。
【００１８】
雨水受け板３は、断面略Ｌ字形に屈曲させた耐蝕加工が施された複数の鋼材を列状に継ぎ合わせて形成されており、図２に示されるように、折板屋根１の棟側から軒側に至る間の中間よりも若干軒側寄りの位置で、略Ｌ字形に屈曲した部分を軒側、他側を棟側に向けて屋根上面１ａに載せ、且つ一側の端部を屋根上面１ａ、他側の端部を前記一側の屋根側端部１ｂに至るように設置して、屋根上面１ａに取り付けてある。
【００１９】
詳しくは、雨水受け板３は、略Ｌ字形に屈曲した屈曲部３ａから上方へ折れた部分の上端に後方へ略コ字形に折れた折り返し部３ｂを設け、屈曲部３ａから前方へ突出した部分の先端には上方へ階段状に折れた段差部３ｃを設けた形状に形成され、前記の如く屋根上面１ａに載せた状態で、屈曲部３ａの外面を折板屋根１の折板材の山部の列と交差する向きに固定されたアングル材８で支持するとともに上部を折り返し部３ｂに係合させた補強板９をアングル材８にネジ留めして固定し、また、段差部３ｃを同じく折板材の山部の列と交差する向きに固定された横下地材１０にネジ留めして屋根上面１ａに取り付けてある。
雨水受け板３は、屋根側端部１ｂに至る他側の端部に向けて水勾配を付けて設置されており、図４に示されるように、水勾配の下流端である他側の端部は屋根側端部１ｂに設置された集水器１１に接続してある。集水器１１の下部は竪樋１２を接続してある。
【００２０】
雨水案内板４は、折板屋根１の折板材と同形・同寸法の折板材を用い、山部に沿った方向の長さが短尺に加工された複数の折板材を、雨水受け板３と同じ長さに列状に継ぎ合わせて形成してある。
雨水案内板４は、図３に示されるように、その山部に沿った方向の一側の端部４ａを、雨水受け板３よりも棟側の屋根上面１ａとの間に適宜な幅の隙間Ｓを確保して、折板屋根１の折板材の上面に重ねて接続し、他側の端部４ｂを雨水受け板３上に臨ませて前記横下地材１０にネジ留めして取り付けてある。
また、雨水案内板４の他側の端部４ｂの上面には、その山部の列設方向に沿って雪止め金具１３を一体に取り付けてあり、山部と山部の間の各谷部内に突出した雪止め金具１３で谷部を滑り落ちる雪塊を堰き止めることができるように設けてある。
【００２１】
カバー板５は、雨水受け板３の上部を略覆う幅を有する耐蝕加工が施された複数の鋼材を、雨水受け板３と同じ長さに列状に継ぎ合わせて形成されており、図２に示されるように、雨水受け板３の折り返し部３ｂと雨水案内板４の山部との間に架設した補強バンド１４に載せて、雨水受け板３と雨水案内板４の端部間に被せた状態で、その一側の端部５ａを補強バンド１４とともに前記折り返し部３ｂにビス留めし、他側の端部５ｂを補強バンド１４とともに雨水案内板４の上面にビス留めして取り付けることで雨水受け板３の上方空間を閉鎖するように設けてある。また、メンテンスの際に、前記留め付けたビスを取り外すことでカバー板５が取りはずれるように設けてある。
なお、図１に示されるように、本形態では、屋根上面１ａ上に配置された雨水受け板３の側端部１ａと雨水案内板の側端部１ｃには遮蔽板１５を取り付けてある。
【００２２】
これらの部材により構成される本形態の排水構造は、既設の折板屋根１に対して以下の要領で施工することができる。
図２に示されるように、先ず、屋根上面１ａの雨水受け板３が取り付けられる領域に沿って、縦下地材１６を適宜な間隔を開けて複数取り付ける。縦下地材１６の取り付けは、折板材の山部に固定金物１７をネジ留めし、この固定金物１７に縦下地材１６をネジ留めして固定することにより行なう。縦下地材１６を固定したならば、これと交差する向きに横下地材１０を重ねて、縦下地材１６の上面に横下地材１０をネジ留めして固定する。
【００２３】
次に、雨水受け板３を、その段差部３ｃを横下地材１０上に重なるように配置して前記縦下地材１６上に載せた状態で、雨水受け板３の屈曲部３ａの外面に接合したアングル材８を、折り返し部３ｂに上部を係合させた補強板９とともに縦下地材１６にネジ留めして固定する。雨水受け板３の内面には補強金物１８を固定しておく。
【００２４】
次いで、雨水案内板４を、その端部４ｂを雨水受け板３の段差部３ｃに載せて屋根上面１ａに重ねた状態で、図３に示されるように、端部４ａを屋根上面１ａとの間に隙間Ｓを確保して、折板材の重なった山部同士をネジ留めして固定する。
【００２５】
さらに、雨水受け板３の段差部３ｃに重なった雨水案内板４の端部４ｂの上面に雪止め金具１３を装着し、雨水案内板４の山部において雪止め金具１３をネジ留めし、谷部において雪止め金具１３の上方から螺子入れた留めネジで雪止め金具１３、雨水案内板４及び雨水受け板３の段差部３ｃを、横下地材１０に留め付けて一体に固定する。このとき、補強バンド１４の架設位置で、補強バンド１４の一端を雨水受け板３の折り返し部３ｂに係合させ、他端を雪止め金具１３とともに雨水案内板４の端部４ｂにネジ留めして固定しておく。
また、雨水受け板３の屋根側端部１ｂ側の端部は、図４に示されるように、屋根側端部１ｂに設置された集水器１１に接続しておく。
【００２６】
そして、補強バンド１４にカバー板５を載せて雨水受け板３と雨水案内板４の端部間に被せ、カバー板５の一側の端部５ａを補強バンド１４とともに雨水受け板３の折り返し部３ｂにビス留めし、他側の端部５ｂを補強バンド１４とともに雨水案内板４の上面にビス留めして取り付けることで、既設の折板屋根１への施工が完了する。
【００２７】
本形態の排水構造によれば、折板屋根１の屋根上面１ａと雨水案内板４の端部４ａとの間に適宜な幅の隙間Ｓを設けてあるので、図３に示されるように、通常の降雨量のときは屋根上面１ａを伝う雨水は隙間Ｓを通って谷樋２に流れ落ち（図中の実線矢印）、一方、集中豪雨などの雨量が極めて多いときには、隙間Ｓを通る分量の雨水は前記と同様に隙間Ｓを通って軒側に設置された谷樋２へと流れ落ち、隙間Ｓから溢れた雨水は、雨水案内板４上に乗り上げて雨水案内板４から雨水受け板３の上面へと流入し（図中の点線矢印）、雨水受け板３の屈曲部３ａに当って当該雨水受け板３の下流側である端部側へ伝い流れ、屋根側端部１ｂに設けた集水器１１へと流れ落ちて排水される。
このように、大雨のときでも谷樋２に流れ落ちる雨水は最大でも隙間Ｓを通る分量に規定されるため、大雨のときの谷樋２への雨水の流入量が排水能力の範囲内に収められ、雨水が谷樋２から大量に溢れ出て建物内部への溢流を誘発する事態の発生を防止することが可能である。
また、局地的豪雨のときには極めて大量の雨水が屋根上面１ａを一気に流れ落ちるが、上記の如く雨水案内板４の端部４ａで上下に分流される分、分流されない場合と比べて雨水案内板４に乗り上げて雨水受け板３にぶつかる雨量は少ないので、雨水がぶつかることにより雨水受け板３に加わる衝撃が相対的に緩和され、雨水受け板３を破損し難くすることができる。
【００２８】
また、図５に示されるように、雨水案内板４の上面には雪止め金具１３を取り付けてあるので、屋根上面１ａに積もった雪塊が滑り落ちたときに雪止め金具１３で堰き止められ、雨水受け板３にぶつかって、雨水受け板３が破損することを効果的に防止することができる。
また、雨水受け板３の上方にカバー板５を設けて、カバー板５で雨水受け板３の上部を塞いであるので、雨水受け板３の上方からその内部に落ち葉やゴミが入り込むことはなく、屋根上面１ａに厚く積もった雪塊が滑り落ちた際に、雪塊は雨水案内板４の上面からカバー板５を乗り越えて雨水受け板３の上方を通過し、雪塊の衝突によって雨水受け板３が破損することを防止することができる。
さらに、図２に示されるように、カバー板５の端部５ａが取り付けられる雨水受け板３の屈曲部３ａはその外面に補強板９を固定して補強されているとともに、屈曲部３ａと雨水案内板４の端部４ｂとの間に補強バンド１４を架け渡して固定し、この補強バンド１４にカバー板５を被せて設置してあるので、これら補強部材によりカバー板５と雨水案内板４が補強され、積雪によりカバー板５に大きな下向きの荷重がかかってもカバー板５が潰れるようなことはなく、また、雨水受け板３の屈曲部３ａが軒側に曲がるなどの変形を来たすこともない。
また、カバー板５は、雨水受け板３に着脱自在に構成してあるので、メンテナンスの際には取り外して、雨水受け板３の内部に入り込んだゴミや落ち葉を取り除くことが可能である。
【００２９】
なお、図示した雨水受け板３、雨水案内板４及びカバー板５は、本発明の実施形態の一例を示すものであり、これらの各部材は図示した形態に限定されず、他の適宜な形態で構成することが可能である。また、各部材を取り付ける手順も前記要領に限定されない。雨水受け板３、雨水案内板４及びカバー板５は、折板屋根１の両側端部に亘って設置してもよい。
【符号の説明】
【００３０】
１  折板屋根、１ａ  屋根上面、１ｂ  屋根側端部、２  谷樋、３  雨水受け板、４  雨水案内板、５  カバー板、１０  横下地材、１３  雪止め金具、１６  縦下地材、Ｓ  隙間
【図１】
2015196987.tif 000003
【図２】
2015196987.tif 000004
【図３】
2015196987.tif 000005
【図４】
2015196987.tif 000006
【図５】
2015196987.tif 000007
【図６】
2015196987.tif 000008